(57)【要約】      （修正有）【課題】組織焼灼用途での使用に適した手持ち式医療装置を提供する。【解決手段】医療装置１００は、ハンドルアセンブリ１７０と、プローブ／増幅器アセンブリとを含む。ハンドルアセンブリ１７０は、チャンバをその中に画定するハンドル本体１７３を含む。プローブ／増幅器アセンブリは、プローブ１１０と、マイクロ波増幅器ユニット１８９とを含む。プローブ１１０は、ハンドルアセンブリ１７０の遠位端から遠位に延在している。マイクロ波増幅器ユニット１８９は、上記チャンバ内に配置されている。マイクロ波増幅器ユニット１８９およびプローブ１１０は、単一体を形成するために互いに機械的に接続されている。プローブ／増幅器アセンブリは、ハンドルアセンブリ１７０から選択的に取り外し可能である。【選択図】図１
2013066706.tif 000002
【特許請求の範囲】
【請求項１】
チャンバをその中に画定するハンドル本体を含むハンドルアセンブリと、
プローブ／増幅器アセンブリと、
を備え、
前記プローブ／増幅器アセンブリは、
前記ハンドルアセンブリの遠位端から遠位に延在するプローブと、
前記チャンバ内に配置されたマイクロ波増幅器ユニットと、
を含み、
前記マイクロ波増幅器ユニットおよび前記プローブは、単一体を形成するために互いに機械的に接続されており、
前記プローブ／増幅器アセンブリは、前記ハンドルアセンブリから選択的に取り外し可能である医療装置。
【請求項２】
前記プローブを前記増幅器から分離することができるように、前記プローブは、前記マイクロ波増幅器ユニットに取り外し可能に機械的に接続されている、請求項１に記載の医療装置。
【請求項３】
前記マイクロ波増幅器ユニットは、高周波入力信号を増幅して、前記プローブに伝送される高周波出力信号を生成するように構成されている、請求項１に記載の医療装置。
【請求項４】
前記マイクロ波増幅器ユニットは、少なくとも１つの高周波スイッチング素子を有する固体増幅器を含む、請求項１に記載の医療装置。
【請求項５】
前記少なくとも１つの高周波スイッチング素子は、少なくとも１つの窒化ガリウム金属酸化物半導体電界効果トランジスタ(GaN MOSFET)を含む、請求項４に記載の医療装置。
【請求項６】
前記マイクロ波増幅器ユニットに電気的に接続され、かつ前記マイクロ波増幅器ユニットに関連する少なくとも１つの動作パラメータを制御するように構成された制御装置をさらに含む、請求項１に記載の医療装置。
【請求項７】
前記ハンドル本体に関連する画面を含むユーザインタフェースをさらに備え、前記画面は、前記制御装置に通信可能に接続されている、請求項６に記載の医療装置。
【請求項８】
前記制御装置は、前記ユーザインタフェースから受信したユーザ入力を示す少なくとも１つの電気信号に基づいて、前記マイクロ波増幅器ユニットに関連する前記少なくとも１つの動作パラメータを制御するように構成されている、請求項７に記載の医療装置。
【請求項９】
前記マイクロ波増幅器ユニットに電気的に接続され、かつ前記制御装置に通信可能に接続された自己内蔵型電源をさらに含む、請求項６に記載の医療装置。
【請求項１０】
前記自己内蔵型電源は、前記制御装置に通信可能に接続されている、請求項９に記載の医療装置。
【請求項１１】
前記自己内蔵型電源は、前記ハンドルアセンブリから選択的に取り外し可能である、請求項９に記載の医療装置。
【請求項１２】
マイクロ波信号発生器と、
医療装置と、
を備え、
前記医療装置は、
チャンバをその中に画定するハンドル本体を含むハンドルアセンブリと、
プローブ／増幅器アセンブリと、
を含み、
前記プローブ／増幅器アセンブリは、
ハンドルアセンブリの遠位端から遠位に延在するプローブと、
前記チャンバ内に配置されたマイクロ波増幅器ユニットと、
を含み、
前記マイクロ波増幅器ユニットおよび前記プローブは、単一体を形成するために互いに機械的に接続されているシステム。
【請求項１３】
前記ハンドル本体は、前記プローブ／増幅器アセンブリに取り外し可能に係合して、前記ハンドルアセンブリから前記プローブ／増幅器アセンブリを取り外すことができるように構成されている、請求項１２に記載のシステム。
【請求項１４】
前記マイクロ波増幅器ユニットに電気的に接続され、かつ前記マイクロ波増幅器ユニットに関連する少なくとも１つの動作パラメータを制御するように構成された制御装置をさらに備える、請求項１２に記載のシステム。
【請求項１５】
前記ハンドル本体に関連する画面を含むユーザインタフェースをさらに含み、前記画面は、前記制御装置に通信可能に接続されている、請求項１４に記載のシステム。
【請求項１６】
前記制御装置は、前記ユーザインタフェースから受信したユーザ入力を示す少なくとも１つの電気信号に基づいて、前記マイクロ波信号発生器および前記マイクロ波増幅器ユニットのうちの少なくとも１つに関連する少なくとも１つの動作パラメータを制御するように構成されている、請求項１２に記載のシステム。
【請求項１７】
前記医療装置は、前記マイクロ波増幅器ユニットに電気的に接続された自己内蔵型電源をさらに含む、請求項１２に記載のシステム。
【請求項１８】
前記自己内蔵型電源は、前記制御装置に通信可能に接続されている、請求項１７に記載のシステム。
【請求項１９】
前記自己内蔵型電源は、前記ハンドルアセンブリから選択的に取り外し可能である、請求項１８に記載のシステム。
【発明の詳細な説明】
【技術分野】
【０００１】
本開示は、組織焼灼用途での使用に適した手持ち式医療装置に関する。より詳細には、本開示は、装置のハンドルにマイクロ波増幅器ユニットを含む医療装置、それを備えた電気手術システム、それを用いてエネルギーを組織に導く方法およびその製造方法に関する。
【背景技術】
【０００２】
電気手術器具は外科医によって広く使用されるようになった。電気手術では、手術中に、生物組織を切断、切開、切除、凝固、焼灼または封止するか、それ以外の方法で処置するために、熱および／または電気エネルギーの照射を行う。電気手術は典型的に、電気手術中にエネルギーを組織部位に伝送するように構成された手術器具（例えば、エンドエフェクタまたは焼灼プローブ）と、エネルギーを出力するように動作可能な遠隔電気手術用発生器と、手術器具を遠隔発生器に動作可能に接続するケーブルアセンブリとを含むハンドピースを用いて行われる。
【０００３】
様々な観血手術および腹腔鏡手術では、組織を凝固、封止または結合しなければならない。短時間に高バーストエネルギーを供給して組織を凝固、焼灼、切断および／または封止するために使用することができる複数の装置が利用可能である。電気手術用鉗子を利用することにより、外科医は、組織を焼灼、凝固、乾燥および／または切断することができ、かつ／または、エンドエフェクタによって組織に照射される電気手術用エネルギーの強度、周波数および持続時間を制御することにより、単に出血を減少させたり出血速度を遅らせたりすることができる。エネルギーは遠隔発生器によって生成され、ケーブルアセンブリを介して発生器に電気的に接続された電極によって組織に照射される。
【０００４】
特定の疾患の治療では、悪性の組織増殖（例えば腫瘍）を破壊する必要がある。癌などの疾患の治療では、ある種の腫瘍細胞は、健康な細胞に通常有害である温度よりも僅かに低い高温で変性することが分かっている。温熱療法などの公知の治療方法は、隣接する健康な細胞を不可逆的な細胞破壊が生じる温度よりも低い温度に維持しながら、異常細胞を４１℃超の温度まで加熱する。このような方法では、組織を加熱、焼灼および／または凝固させるために電磁放射線の照射を行うことがある。焼灼処置を行うために使用することができる複数の異なる種類の電気手術装置が存在する。
【０００５】
典型的には、焼灼処置で使用されるマイクロ波装置は、エネルギー源として機能するマイクロ波発生器と、標的組織にエネルギーを導くためのアンテナアセンブリを有するマイクロ波手術器具（例えば、マイクロ波焼灼プローブ）とを含む。手術器具およびマイクロ波発生器は典型的に、エネルギーを遠隔発生器から手術器具に伝送するため、および、器具と遠隔発生器との間で制御、フィードバックおよび識別信号を通信するための複数の導体を有するケーブルアセンブリによって動作可能に接続されている。モノポール型、ダイポール型およびヘリカル型などの数種類のマイクロ波プローブが使用されており、それらを組織焼灼用途で使用することができる。
【０００６】
電磁放射線を利用する様々な種類の手持ち式器具は、様々な種類の用途における様々な種類の電気手術のために用いられている。ケーブルアセンブリは典型的に、手持ち式器具を、遠隔エネルギー源に機械的に接続し、かつ高周波（ＲＦ）またはマイクロ波信号の伝搬媒質および導波管として機能させるために用いられている。マイクロ波ケーブルアセンブリの電気性能を評価するために使用されるパラメータとしては、ケーブルの減衰（挿入損失、すなわち電源と負荷との間にケーブルを挿入することによる電力の損失としても知られている）、電圧定在波比（ＶＳＷＲ）特性、およびケーブルの外側導体の遮蔽が挙げられる。ケーブルアセンブリからのマイクロ波エネルギーの漂遊漏洩は、配備された無線ネットワーク、患者の監視および病院環境に使用されている他の医療設備に対して妨害を引き起こすことがある。ケーブルアセンブリは、マイクロ波手術器具の製造および維持費を増大させる。ケーブルアセンブリは、組織を治療するために電磁放射線を利用する処置を行うための手持ち式器具の使用中に、外科医の完全な移動の自由を妨げることもある。
【発明の概要】
【０００７】
一態様によれば、医療装置が提供される。本医療装置は、ハンドルアセンブリを含む。プローブがハンドルアセンブリの遠位端から遠位に延在している。マイクロ波増幅器ユニットがハンドルアセンブリ内に配置されている。マイクロ波増幅器ユニットは、高周波入力信号を増幅して、プローブに伝送される高周波出力信号を生成するように構成されている。
【０００８】
本医療装置は、マイクロ波信号増幅器モジュールを含んでいてもよい。マイクロ波増幅器ユニットは、マイクロ波信号増幅器モジュールの１つ以上の出力口に電気的に接続される１つ以上の出力口を含んでいてもよい。マイクロ波増幅器ユニットは、マイクロ波信号増幅器モジュール内に配置されていてもよい。追加または代わりとして、本医療装置は、マイクロ波信号増幅器モジュールに電気的に接続され、かつ／またはマイクロ波増幅器ユニットに電気的に接続された制御装置を含んでいてもよい。制御装置は、マイクロ波信号増幅器モジュールに関連する１つ以上の動作パラメータ（例えば、温度、インピーダンス、電力、電流、電圧、動作モードおよび／または電磁エネルギーの照射持続時間）を制御するように構成されていてもよい。
【０００９】
別の態様によれば、チャンバをその中に画定するハンドル本体を含むハンドルアセンブリを含む医療装置が提供される。本医療装置は、チャンバ内に配置されたマイクロ波信号増幅器／制御装置モジュールを含む。マイクロ波信号増幅器／制御装置モジュールは、マイクロ波増幅器ユニットおよび制御装置を含む。マイクロ波増幅器ユニットは、高周波入力信号を増幅して高周波出力信号を生成するように構成されている。制御装置は、マイクロ波信号増幅器／制御装置モジュールに関連する１つ以上の動作パラメータ（例えば、温度、インピーダンス、電力、電流、電圧、動作モードおよび／または電磁エネルギーの照射持続時間）を制御するように構成されている。本医療装置は、ハンドルアセンブリの遠位端から遠位に延在するプローブを含む。プローブは、マイクロ波信号増幅器／制御装置モジュールの出力口に動作可能に接続されている。
【００１０】
マイクロ波増幅器ユニットは、マイクロ波信号増幅器／制御装置モジュールの１つ以上の出力口に電気的に接続される１つ以上の出力口を含んでいてもよい。制御装置は、マイクロ波信号増幅器ユニットに関連する１つ以上の動作パラメータ（例えば、温度、インピーダンス、電力、電流、電圧、動作モードおよび／または電磁エネルギーの照射持続時間）を制御するように構成されていてもよい。
【００１１】
いずれかの態様では、本医療装置は、１つ以上の導電経路を提供するために、ハンドルアセンブリ（および／またはハンドル本体）に関連する１つ以上の電気伝導体を含んでいてもよい。いずれかの態様では、ハンドルアセンブリ（および／またはハンドル本体）は、マイクロ波信号増幅器モジュールまたはマイクロ波信号増幅器／制御装置モジュールをハンドルアセンブリから取り外すことができるように構成されていてもよい。マイクロ波信号増幅器モジュールまたはマイクロ波信号増幅器／制御装置モジュールは、ハンドルアセンブリ（および／またはハンドル本体）に関連する電気伝導体との電気的接続を形成するのに適した１つ以上の電気コネクタまたは端子が設けられた１つ以上のコネクタ部を含んでいてもよい。１つ以上のコネクタ部は、ハンドルアセンブリ（および／またはハンドル本体）に関連する電気伝導体に取り外し可能に接続可能であるように構成されていてもよい。
【００１２】
いずれかの態様では、マイクロ波信号増幅器モジュールまたはマイクロ波信号増幅器／制御装置モジュールは、追加として、マイクロ波増幅器ユニットの入力口に伝送される高周波信号（例えば、マイクロ波信号）を生成するように構成された信号発生器を含んでいてもよい。信号発生器の１つ以上の出力口は、マイクロ波増幅器ユニットの１つ以上の入力口に電気的に接続されていてもよい。
【００１３】
別の態様によれば、医療装置が提供される。本医療装置は、プローブおよびハンドルアセンブリを含む。ハンドルアセンブリは、第１のチャンバをその中に画定し、かつその遠位端でプローブを支持するように構成されたハンドル本体を含む。マイクロ波増幅器ユニットを含むマイクロ波信号増幅器モジュールは、第１のチャンバ内に配置されている。プローブは、マイクロ波信号増幅器モジュールの出力口に動作可能に接続されている。ハンドルアセンブリは、第２のチャンバをその中に画定する把持部材をさらに含む。把持部材はハンドル本体に接続されている。電力供給部／制御装置モジュールが第２のチャンバ内に配置されている。電力供給部／制御装置モジュールは、マイクロ波信号増幅器モジュールに関連する１つ以上の動作パラメータを制御するように構成された制御装置を含む。把持部材は、電力供給部／制御装置モジュールをハンドルアセンブリから取り外すことができるように構成されている。
【００１４】
いずれかの態様では、本医療装置は、マイクロ波増幅器ユニットの入力口で受信される高周波信号の信号源をユーザが選択することができるように構成されていてもよい。本医療装置は、追加または代わりとして、ユーザが高周波信号の信号発生器と外部電源とを選択的に切り替えることができるように構成されたスイッチを含んでいてもよい。
【００１５】
さらに別の態様によれば、医療装置が提供される。本医療装置は、ハンドルアセンブリと、プローブ／増幅器アセンブリとを含む。ハンドルアセンブリは、チャンバをその中に画定するハンドル本体を含む。プローブ／増幅器アセンブリは、ハンドルアセンブリの遠位端から遠位に延在するプローブを含む。プローブ／増幅器アセンブリは、チャンバ内に配置されたマイクロ波増幅器ユニットをさらに含む。マイクロ波増幅器ユニットは、プローブの近位端に接続されており、高周波入力信号を増幅して、プローブに伝送される高周波出力信号を生成するように構成されている。ハンドル本体は、プローブ／増幅器アセンブリに取り外し可能に係合して、プローブ／増幅器アセンブリをハンドルアセンブリから取り外すことができるように構成されている。
【００１６】
例えば、プローブの掃除および／または直列化を容易にするために、プローブを増幅器から分離し、かつ／またはマイクロ波増幅器ユニットの交換ができるように、プローブは、マイクロ波増幅器ユニットに取り外し可能に機械的に接続されていてもよい。
【００１７】
いずれかの態様では、本医療装置は、例えば、ユーザ入力機能、および／または本医療装置の使用および／またはプログラミングの簡易化のための機能を提供するように構成されたユーザインタフェースを含んでいてもよい。ユーザインタフェースは、例えば、特定の目的に応じて、および／または所望の手術結果を達成するために、本医療装置またはその構成要素の１つ以上の動作パラメータをユーザが選択的に構成することができるように構成されていてもよい。ユーザインタフェースとしては、フラットパネルディスプレイ、例えば、ＬＣＤ（液晶ディスプレイ）、プラズマディスプレイパネル（ＰＤＰ）、有機発光ダイオード（ＯＬＥＤ）またはＥＬディスプレイ（ＥＬＤ）などの画面が挙げられる。画面は、ハンドルアセンブリに配置されていてもよい。画面は、制御装置に通信可能に接続されていてもよい。本医療装置は、追加または代わりとして、１つ以上のユーザ入力装置、例えば、ポインティングデバイス（ジョイスティック、トラックボールなど）および／またはタッチスクリーンを含んでいてもよい。ユーザ入力装置（１つ以上）は、ハンドルアセンブリに人間工学的に配置されていてもよい。ユーザ入力装置（１つ以上）は、制御装置に通信可能に接続されていてもよい。ユーザインタフェースは、追加または代わりとし、知覚可能な感覚的警報を提供するように構成されたインジケータユニットを含んでいてもよい。インジケータユニットは、制御装置に通信可能に接続されていてもよい。
【００１８】
さらに別の態様によれば、システムが提供される。本システムは、マイクロ波信号発生器および医療装置を備える。本医療装置は、チャンバをその中に画定するハンドル本体を含むハンドルアセンブリを含む。本医療装置は、プローブ／増幅器アセンブリをさらに含む。プローブ／増幅器アセンブリは、ハンドルアセンブリの遠位端から遠位に延在するプローブと、チャンバ内に配置されたマイクロ波増幅器ユニットとを含む。マイクロ波増幅器ユニットおよびプローブは、単一体を形成するために互いに機械的に接続されている。
【００１９】
さらに別の態様によれば、システムが提供される。本システムは、マイクロ波信号発生器および医療装置を備える。本医療装置はハンドルアセンブリを含む。本医療装置は、ハンドルアセンブリ内に配置されたマイクロ波信号増幅器モジュールと、ハンドルアセンブリの遠位端から遠位に延在するプローブとをさらに含む。プローブは、マイクロ波信号増幅器モジュールに動作可能に接続されている。マイクロ波信号増幅器モジュールは、高周波入力信号を増幅して高周波出力信号を生成するように構成されている。
【００２０】
いずれかの態様では、本医療装置は、自己内蔵型電源を含んでいてもよい。自己内蔵型電源は、本医療装置のハンドルアセンブリの把持部材内に画定された把持部材チャンバ内に配置されていてもよい。自己内蔵型電源は、本医療装置のハンドルアセンブリのハンドル本体内に画定されたハンドル本体チャンバ内に配置されていてもよい。本医療装置のハンドルアセンブリの把持部材および／またはハンドル本体は、自己内蔵型電源をハンドルアセンブリから取り外すことができるように構成されていてもよい。
【００２１】
さらに別の態様によれば、エネルギーを組織に導く方法が提供される。本方法は、エネルギー照射装置と、その遠位端でエネルギー照射装置を支持するように構成されたハンドルアセンブリとを含む手持ち式装置を用意する最初の工程を含む。本方法は、エネルギー照射装置により、ハンドルアセンブリ内に配置されたマイクロ波増幅器ユニットの出力口から組織までエネルギーを伝送する工程も含む。
【００２２】
さらに別の態様によれば、エネルギーを組織に導く方法が提供される。本方法は、本装置のハンドルアセンブリにマイクロ波信号増幅器モジュールと、マイクロ波信号増幅器モジュールに動作可能に接続されたアンテナアセンブリを含むプローブとを含む手持ち式装置を用意する最初の工程を含む。マイクロ波信号増幅器モジュールは、高周波入力信号を増幅して高周波出力信号を生成するように構成されたマイクロ波増幅器ユニットを含む。本方法は、アンテナアセンブリにより、マイクロ波増幅器ユニットの出力口から組織までエネルギーを伝送する工程も含む。
【００２３】
さらに別の態様によれば、医療装置の製造方法が提供される。本方法は、ハンドルアセンブリを用意し、かつマイクロ波信号増幅器モジュール（またはマイクロ波信号増幅器／制御装置モジュール）を用意する最初の工程を含む。ハンドルアセンブリは、チャンバをその中に画定するハンドル本体を含む。ハンドル本体は、その遠位端でエネルギー照射装置を支持するように構成されている。マイクロ波信号増幅器モジュールは、高周波入力信号を増幅して高周波出力信号を生成するように構成されたマイクロ波増幅器ユニットを含む。マイクロ波信号増幅器モジュールは、ハンドル本体に関連する１つ以上の電気伝導体に取り外し可能に接続可能であるように構成された１つ以上の電気コネクタを含む１つ以上のコネクタ部を含む。本方法は、マイクロ波信号増幅器モジュールをチャンバまたはその一部の中に配置して、１つ以上のコネクタ部の１つ以上の電気コネクタを、ハンドル本体に関連する１つ以上の電気コネクタに電気的に係合させる工程も含む。
【００２４】
さらに別の態様によれば、医療装置の製造方法が提供される。本方法は、チャンバをその中に画定するハンドル本体と、ハンドル本体の遠位端から遠位に延在するエネルギー照射装置と、１つ以上の導電経路を提供するためのハンドル本体に関連する１つ以上の電気伝導体とを含むハンドルアセンブリを用意する最初の工程を含む。１つ以上の電気伝導体のうちの１つは、チャンバまたはその一部からエネルギー照射装置までの導電経路を提供する。本方法は、高周波入力信号を増幅して高周波出力信号を生成するように構成されたマイクロ波増幅器ユニットを含むマイクロ波信号増幅器モジュール（またはマイクロ波信号増幅器／制御装置モジュール）を用意する工程も含む。マイクロ波信号増幅器モジュールは、追加として、マイクロ波増幅器ユニットの入力口に伝送される高周波入力信号を生成するように構成された信号発生器を含んでいてもよい。本方法は、チャンバまたはその一部の中にマイクロ波信号増幅器モジュールを配置して、マイクロ波信号増幅器モジュールの１つ以上のコネクタ部の１つ以上の電気伝導体を、ハンドル本体に関連する１つ以上の電気伝導体に電気的に係合させる工程も含む。
【００２５】
いずれかの態様では、マイクロ波増幅器ユニットは、１つ以上の高周波スイッチング素子を有する固体増幅器を含んでいてもよい。１つ以上の高周波スイッチング素子は、１つ以上の窒化ガリウム金属酸化物半導体電界効果トランジスタ(GaN MOSFET)を含んでいてもよい。
【００２６】
添付の図面を参照しながらその様々な実施形態の説明を読めば、装置のハンドルにマイクロ波増幅器ユニットを含む本開示の手持ち式医療装置、それを備えた電気手術システム、それを用いてエネルギーを組織に導く方法およびその製造方法の目的および特徴が当業者に明らかになるであろう。
【図面の簡単な説明】
【００２７】
【図１】本開示の一実施形態に係る医療装置を備えた電気手術システムの概略図である。
【図２】従来のマイクロ波発生／伝達システムの様々な機能構成要素を示すブロック図である。
【図３】本開示の一実施形態に係る、装置のハンドルにマイクロ波信号増幅器モジュールを含む医療装置の概略図である。
【図４】本開示に係る、装置のハンドルにマイクロ波信号増幅器／制御装置モジュールを含む医療装置の概略図である。
【図５】本開示に係る、装置のハンドルにプローブ／増幅器アセンブリを含む医療装置のさらに別の実施形態の概略図である。
【図６】本開示に係る、装置のハンドルに電気手術用発生器を含む医療装置の概略図である。
【図７】本開示の一実施形態に係るエネルギーを組織に導く方法を示すフローチャートである。
【図８】本開示の別の実施形態に係るエネルギーを組織に導く方法を示すフローチャートである。
【図９】本開示の一実施形態に係る医療装置の製造方法を示すフローチャートである。
【図１０】本開示の別の実施形態に係る医療装置の製造方法を示すフローチャートである。
【発明を実施するための形態】
【００２８】
以下、装置のハンドルにマイクロ波増幅器ユニットを含む本開示の手持ち式医療装置、それを備えた電気手術システム、それを用いてエネルギーを組織に導く方法およびその製造方法の実施形態について、添付の図面を参照しながら説明する。図の説明全体にわたって、同様の符号は、同様または同一の要素を指すものとする。図面に示しかつ本説明で使用し、かつ従来同様に、対象上の相対的な位置づけについて述べる場合、「近位」という用語は、ユーザに近い方の本装置のその部分またはその構成要素を指し、「遠位」という用語は、ユーザから遠い方の本装置のその部分またはその構成要素を指す。以下の説明では、不要な詳しい説明によって本開示を曖昧にするのを避けるために周知の機能または構成については詳細に説明しない。
【００２９】
本説明は、「一実施形態では」、「実施形態では」、「いくつかの実施形態では」または「他の実施形態では」という語句を用いる場合があるが、これらの語句はそれぞれ、本開示に係る同一または異なる実施形態のうちの１つ以上を指すものとする。本説明の目的では、「Ａ／Ｂ」という形態の語句は、ＡまたはＢを意味する。本説明の目的では、「Ａおよび／またはＢ」という形態の語句は、「（Ａ）、（Ｂ）または（ＡおよびＢ）」を意味する。本説明の目的では、「Ａ、ＢまたはＣのうちの少なくとも１つ」という形態の語句は、「（Ａ）、（Ｂ）、（Ｃ）、（ＡおよびＢ）、（ＡおよびＣ）、（ＢおよびＣ）または（Ａ、ＢおよびＣ）」を意味する。
【００３０】
電磁エネルギーは一般に、エネルギーの増加または波長の減少によって、電波、マイクロ波、赤外線、可視光線、紫外線、Ｘ線およびガンマ線に分類される。本説明で使用されている「マイクロ波」とは一般に、３００メガヘルツ（ＭＨｚ）（３×１０８サイクル／秒）〜３００ギガヘルツ（ＧＨｚ）（３×１０１１サイクル／秒）の周波数範囲の電磁波を指す。本説明で使用されている「焼灼処置」とは一般に、任意の焼灼処置、例えば、マイクロ波焼灼、高周波（ＲＦ）焼灼またはマイクロ波焼灼補助下切除を指す。本説明で使用されている「エネルギー照射装置」とは一般に、マイクロ波またはＲＦ電気手術用発生器などの電力発生源から組織までエネルギーを移動させるために使用することができる任意の装置を指す。
【００３１】
本明細書で使用されている「電源」および「電力供給部」という用語は、電子回路を動作させるのに適した形態の任意の電力供給源（例えば、電池）を指す。本説明で使用されている「伝送線路」とは一般に、ある点から別の点までの信号の伝播のために使用することができる任意の伝送媒体を指す。本説明で使用されている「スイッチ」または「複数のスイッチ」とは一般に、任意の電気式アクチュエータ、機械式アクチュエータ、電気機械式アクチュエータ（回転可能なアクチュエータ、回動可能なアクチュエータ、トグルスイッチ様アクチュエータ、ボタンなど）、光アクチュエータ、あるいは、電子装置またはその構成要素を接続または切断するという目的を一般に果たす任意の好適な装置、器具、機器、伝送線路、それらへの接続物および付属物またはソフトウェアを指す。
【００３２】
本説明で使用されている「増幅器」とは一般に、対応する電気入力パラメータの関数である電気出力を生成し、かつ外部電源から得られたエネルギーによって入力の大きさを増加させる（例えば、利得をもたらす）装置を指し、ある状況では、増幅器はゼロの利得または単一利得を有することができる。一般に、利得（増幅）を正のデシベル値として表し、損失（減衰）を負のデシベル値として表し、単一利得（利得なし）を０デシベルとして表す。電力増幅器では、利得は通常、増幅器の電力入力に対する電力出力の比として定義される。
【００３３】
本説明で使用されている「電子装置」とは一般に、真空、気体または半導体中を移動している電子またはイオンの特性を利用する装置または物体を指す。本明細書で使用されている「電子回路」とは一般に、電子またはイオンの移動経路ならびに装置または物体によって電子またはイオンに提供される方向を指す。本明細書で使用されている「電気回路」または単に「回路」とは一般に、互いに接続されると増幅などの所望の機能を果たす伝導線路を形成する複数の電気装置および導体の組み合わせを指す。相互接続部以外の電気回路の任意の構成要素を「回路素子」と呼んでもよい。
【００３４】
本説明で使用されている「ユーザインタフェース」とは一般に、ユーザまたは他の実体に情報を提供し、かつ／またはそこから情報を受信するための、任意の視覚的、図画的、触覚的、可聴的もしくは感覚的機構または他の機構を指す。本明細書で使用されている「ユーザインタフェース」という用語は、ユーザと装置（１つ以上）との間の通信を可能にするための、人間のユーザ（または操作者）と１つ以上の装置との間のインタフェースを指してもよい。本開示の様々な実施形態に用いられ得るユーザインタフェースの例としては、スイッチ、電位差計、ボタン、ダイヤル、スライダ、マウス、キーボード、キーパッド、ジョイスティック、トラックボール、表示画面、各種グラフィカルユーザインタフェース（ＧＵＩ）、タッチスクリーン、マイクロホン、および、人間が生成したいくつかの形態の刺激を受信し、かつそれに応答して信号を生成し得る他の種類のセンサまたは装置が挙げられるが、これらに限定されない。本明細書で使用されている「コンピュータ」とは一般に、意図的な方法で情報を変換するあらゆるものを指す。本説明の目的では、「コード」という用語は、ソフトウェア、ファームウェア、またはソフトウェアとファームウェアとの組み合わせに適用可能なものとして解釈されるべきである。
【００３５】
本開示の様々な実施形態は、手術部位の標的組織に対して治療効果を生じさせるためにマイクロ波周波数の電磁エネルギーを用いるのに適したエネルギー照射装置またはプローブに動作可能に接続された、装置のハンドルアセンブリにマイクロ波信号増幅器モジュールを含む手持ち式医療装置を提供する。マイクロ波周波数または他の周波数の電磁放射線を用いて実施形態を実施してもよい。
【００３６】
装置のハンドルにマイクロ波信号増幅器モジュールを含む本開示の医療装置の様々な実施形態は、エネルギーを組織に導くことができ、様々な処置（例えば、マイクロ波切断、封止および凝固）での使用に適するものであればよい。装置のハンドルにマイクロ波信号増幅器モジュールを含む本開示の医療装置およびそれを備えた電気手術システムの様々な実施形態は、マイクロ波焼灼に適しており、マイクロ波焼灼補助下外科的切除のために組織を予め凝固するのに用いられている。さらに、以下の説明は、経皮的エネルギー伝達に適したエネルギー照射装置を含む医療装置の使用について記載しているが、本明細書に開示されている装置は、例えば、観血的装置、カテーテル型装置、内視鏡装置および直接接触型表面伝達装置などの任意の好適な種類の電気手術用エネルギー伝達装置と共に使用しても、それらに組み込まれていてもよい。
【００３７】
本開示の手持ち式医療装置の様々な実施形態により、遠隔電気手術用電力供給部および制御装置の必要性が完全になくなる。いくつかの実施形態では、手持ち式医療装置は、電力または制御コードを全く有しておらず、例えば、それは電源内蔵型であり、全ての制御回路および電力供給部は、本装置のハンドルアセンブリ内に存在する。実施形態は、制御回路およびマイクロ波回路を配置するための様々な構成を提供し、そのうちのいくつかは、例えば、病院、手術センターおよび／またはオフィス系処置のための手術チームの必要性を満たすために、上記回路を手持ち式装置から完全に取り外し、かつモジュール的に他の回路と交換することができる。
【００３８】
本開示の手持ち式医療装置の様々な実施形態は、第１のチャンバ（本明細書では「ハンドル本体チャンバ」ともいう）をその中に画定するハンドル本体と、第２のチャンバ（本明細書では「把持部材チャンバ」ともいう）をその中に画定する把持部材とを含むハンドルアセンブリを含む。以下の説明は、その遠位端でエネルギー照射装置またはプローブを支持するように構成されたハンドル本体と、ハンドル本体に接続され、かつユーザによって把持されるように構成された把持部材とを含むハンドルアセンブリの使用について記載しているが、本開示の教示を、その遠位端でエネルギー照射装置またはプローブを支持するように構成され、かつユーザによって把持されるように構成されたハンドル本体を含むハンドルアセンブリに適用してもよい。
【００３９】
いくつかの実施形態では、図１、図３および図６に示すように、マイクロ波信号増幅器モジュール１８０、３８０および６８０は、手持ち式医療装置１００、３００および６００それぞれの各ハンドルアセンブリ１７０、３７０および６７０の各ハンドル本体１７３、３７３および６７３内に画定された各ハンドル本体チャンバ１７６、３７６および６７６内に配置されている。いくつかの実施形態では、図３に示すように、電力供給部／制御装置モジュール３４４は、手持ち式医療装置３００のハンドルアセンブリ３７０の把持部材３７５内に画定された把持部材チャンバ３７８内に配置されている。いくつかの実施形態では、図４に示すように、マイクロ波信号増幅器／制御装置モジュール４８０は、手持ち式医療装置４００のハンドルアセンブリ４７０の把持部材チャンバ４７８内に配置されている。
【００４０】
本開示の手持ち式医療装置の様々な実施形態は、外科医が、所望どおりに、特定の用途に適したエネルギー照射装置、プローブまたはエンドエフェクタアセンブリを選択することができるように構成されている。いくつかの実施形態では、図５に示すように、手持ち式医療装置５００には、単一体としてプローブ１００と共に組み込まれたマイクロ波増幅器ユニット５８９（本明細書ではプローブ／増幅器アセンブリ５１０という）が設けられており、ここでは、プローブ／増幅器アセンブリ５１０は、医療装置５００のハンドルアセンブリ５７０に取り外し可能に接続可能である。
【００４１】
いくつかの実施形態では、ハンドル本体チャンバ５７６（例えば、図５に示す）内に配置されたマイクロ波増幅器ユニット５８９（例えば、図５に示す）を遠隔信号発生器５８６（例えば、図５に示す）に接続するために、伝送線路５１５（例えば、図５に示す）が設けられている。他の実施形態では、プローブ１１０を遠隔電気手術用電力発生源に接続するために伝送線路１５（例えば、図１に示す）が設けられている。
【００４２】
図１は、医療装置１００のハンドルアセンブリ１７０内にマイクロ波信号増幅器モジュール１８０を含む手持ち式医療装置１００を備えた本開示の一実施形態に係る電気手術システム１０を示す。ハンドルアセンブリ１７０は様々な構成を有していてもよく、そのうちのいくつかは、マイクロ波信号増幅器モジュール１８０を医療装置１００から完全に取り外し、モジュール的に他のマイクロ波信号増幅器モジュールと交換することができる。マイクロ波信号増幅器モジュール１８０は、マイクロ波増幅器ユニット１８９を含む。マイクロ波増幅器ユニット１８９は一般に、１つ以上の入力口（例えば、入力口１９１）および１つ以上の出力口（例えば、出力口１９３）を含む。いくつかの実施形態では、図１に示すように、マイクロ波信号増幅器モジュール１８０は、マイクロ波増幅器ユニット１８９の入力口１９１に伝送される高周波信号（例えばマイクロ波信号）を生成することができる信号発生器１８６を含む。
【００４３】
ハンドルアセンブリ１７０は一般に、把持部材１７５と、その遠位端１７でエネルギー照射装置またはプローブ１１０を支持するように構成されたハンドル本体１７３とを含む。プローブ１１０は、マイクロ波増幅器ユニット１８９からプローブ１１０に出力される高周波信号を伝送するように構成された任意の好適な構成の電気伝導体（例えば、伝送線路１９５）によって、マイクロ波信号増幅器モジュール１８０の出力口１９０および／またはマイクロ波増幅器ユニット１８９の出力口１９３に電気的に接続されていてもよい。プローブ１００は、組織焼灼用途での使用に適したアンテナアセンブリ（またはアンテナアレイ）などの任意の好適な種類の１つ以上のアンテナを含んでいてもよい。説明および理解を容易にするために、プローブ１００は、単一のアンテナアセンブリ１２を含むものとして記載されている。
【００４４】
ハンドルアセンブリ１７０は、電源スイッチ１２１、自己内蔵型電源１１８、および／またはマイクロ波信号増幅器モジュール１８０またはその構成要素（例えば、マイクロ波増幅器ユニット１８９）間に様々な構成の電気的接続を提供するように構成されていてもよい。図１に示す医療装置１００の様々な構成要素間の電気的接続（例えば、電気伝導体）を示す点線は単に例示であって、電気的接続の非限定的な例であり、本開示の医療装置の実施形態は、多くの異なる構成の電気的接続を利用することができ、図１に示すものよりも少ない電気的接続を有する場合もあれば、さらなる電気的接続を有する場合もあることを理解されたい。
【００４５】
マイクロ波信号増幅器モジュール１８０は、ハンドルアセンブリ１７０のいくつかの回路との電気的接続を形成するのに適した１つ以上の電気コネクタまたは端子が設けられた１つ以上のコネクタ部を含んでいてもよい。いくつかの実施形態では、図１に示すように、マイクロ波信号増幅器モジュール１８０は、ハンドルアセンブリ１７０の回路との電気的接続を形成するための複数の電気コネクタまたは端子を有する第１のコネクタ部１８１と、プローブ１１０との電気的接続を形成するための１つの電気コネクタまたは端子を有する第２のコネクタ部１８２と、例えば、それに関連するプローブ１１０および／または回路（例えば、スイッチ１６１）との電気的接続を形成するための、出力口として使用される１つの電気コネクタ（または端子）を有する第３のコネクタ部１８３とを含む。ハンドルアセンブリ１７０およびマイクロ波信号増幅器モジュール１８０の形状および大きさは、図１に示す構成とは異なっていてもよい。
【００４６】
マイクロ波増幅器ユニット１８９は、高周波入力信号を増幅してプローブ１１０に伝送される高周波出力信号を生成するように構成された１つ以上の電力増幅器および／または他の好適な機構を含んでいてもよい。マイクロ波増幅器ユニット１８９は、信号を処理および／または濾過する手段を含んでいてもよい。マイクロ波増幅器ユニット１８９は固体であってもよく、幅広い周波数範囲にわたって高出力電力および／または高効率を提供することができる。マイクロ波増幅器ユニット１８９は一般に、マイクロ波信号を増幅するのに適した能動素子を含み、高い電力効率を達成するためのスイッチングを使用してもよい。簡単にいうと、スイッチング増幅器は、受動負荷回路網に接続された定期的に駆動されるスイッチ（能動素子）からなり、これを線形時不変であるとみなしてもよい。マイクロ波増幅器ユニット１８９を、様々な種類の能動素子を用いて実装してもよく、その実装は、入力信号を提供する装置および／または出力信号が送られるエネルギー照射装置またはプローブ１１０によって決定される要因によって決まってもよい。マイクロ波増幅器ユニット１８９は、例えば、Ｅ級もしくはその変形、Ｆ級または逆Ｆ級設計などの高効率増幅器トポロジを利用することができるように、高周波スイッチング素子を有する１つ以上の固体増幅器を含んでいてもよい。好適な高周波スイッチング素子の例としては、窒化ガリウム金属酸化物半導体電界効果トランジスタ(GaN MOSFET)が挙げられるが、これに限定されない。
【００４７】
いくつかの実施形態では、図１に示すように、マイクロ波信号増幅器モジュール１８０は、マイクロ波増幅器ユニット１８９の入力口１９１に電気的に接続された信号発生器１８６を含む。信号発生器１８６としては、マイクロ波増幅器ユニット１８９に伝送される高周波（例えば、マイクロ波信号）を生成することができる任意の好適な種類の装置が挙げられる。医療装置１００は、追加または代わりとして、マイクロ波増幅器ユニット１８９が遠隔信号発生器、例えば、独立型信号発生器５８６（例えば、図５に示す）、または遠隔電気手術用電力発生源２８またはその構成要素（例えば、信号発生器２０６）から選択的に信号を受信することができるように構成されていてもよい。
【００４８】
医療装置１００は、追加または代わりとして、プローブ１１０が遠隔電気手術用電力発生源２８から１つ以上の電気信号および／または電気手術用エネルギーを選択的に受信することができるように構成されていてもよい。いくつかの実施形態では、ハンドルアセンブリ１７０は、マイクロ波信号増幅器モジュール１８０またはその構成要素（例えば、図１に示す出力口１９０）と、遠隔電気手術用電力発生源２８またはその構成要素（例えば、図２に示す発生器コネクタ２０９）とを選択的に切り替えることによって、ユーザが医療装置１００の操作を制御することができるように構成されたスイッチ１６１を含んでいてもよい。
【００４９】
いくつかの実施形態では、図１に示すように、ハンドルアセンブリ１７０は、自己内蔵型電源１１８と、制御装置１２６と、電源トリガまたはスイッチ１２１とを含む。電源スイッチ１２１は、制御装置１２６に電気的に接続されていてもよい。いくつかの実施形態では、制御装置１２６は、１つ以上の検出器、例えば、放射線検出器（図示せず）に通信可能に接続されており、１つ以上の検出器によって生成された電気信号に応答して電源スイッチ１２１の操作をオーバーライドするように構成されている。
【００５０】
制御装置１２６は、制御装置１２６に関連するメモリ（例えば、図６に示す６２６）に格納された一連の命令を実行することができる任意の種類の計算装置、計算回路あるいは任意の種類の処理装置または処理回路を含んでいてもよく、ここでは、メモリは、コードおよびデータ、例えば、プローブ１１０に関連するデータ、マイクロ波信号増幅器モジュール１８０またはその構成要素に関連するデータおよび／または他のデータを格納することができる任意の装置または媒体であってもよい。制御装置１２６の機能は、所望どおりにハードウェアおよび／またはソフトウェアで実行することができる。制御装置１２６は、電源スイッチ１２１から受信した１つ以上の電気信号に応答して自己内蔵型電源１１８を制御するように構成された論理、回路および／またはコードを含んでいてもよい。制御装置１２６は、オペレーティングシステムのプラットフォームおよびアプリケーションプログラムを実行するように構成されていてもよい。制御装置１２６は、限定されるものではないが、ジョイスティック、トラックボール、タッチスクリーンおよび／または他のユーザ入力装置、例えば、制御装置１２６に通信可能に接続された電源スイッチ１２１および／または強度制御装置（図示せず）などの１つ以上のユーザ入力装置からのユーザ入力を受信してもよい。
【００５１】
いくつかの実施形態では、図１に示すように、制御装置は、マイクロ波信号増幅器モジュール１８０に電気的に接続されており、マイクロ波信号増幅器モジュール１８０またはその構成要素（例えば、マイクロ波増幅器ユニット１８９）に関連する１つ以上の動作パラメータを制御するように構成されていてもよい。電気手術用電力発生源に関連する動作パラメータの例としては、温度、インピーダンス、電力、電流、電圧、動作モードおよび電磁エネルギーの照射持続時間が挙げられるが、これらに限定されない。
【００５２】
いくつかの実施形態では、ハンドルアセンブリ１７０は、ユーザが信号発生器１８６と遠隔信号発生器（例えば、図２に示す信号発生器２０６）とを選択的に切り替えることができるように構成されたスイッチ１６２を含んでいてもよい。スイッチ１６１は、制御装置１２６に通信可能に接続されていてもよく、制御装置１２６は、マイクロ波増幅器ユニット１８９が遠隔信号発生器、例えば、独立型信号発生器５８６（例えば、図５に示す）、または遠隔電気手術用電力発生源２８またはその構成要素（例えば、信号発生器２０６）からの信号を選択的に受信することができるように構成されていてもよい。
【００５３】
ハンドルアセンブリ１７０は、任意の好適な方法によって任意の好適な材料または材料の組み合わせで形成されていてもよい。いくつかの実施形態では、把持部材１７５は、ハンドル本体１７３と一体的に関連していてもよい。ハンドルアセンブリ１７０またはその部分、例えば把持部材１７５および／またはハンドル本体１７３は、２つのハウジング半部（図示せず）から形成されていてもよい。ハウジングの各半部は、対応する一連の機械的インタフェース（図示せず）に嵌合的に係合して、２つのハウジング半部を医療装置１００の内側構成要素とアセンブリの周りで位置合わせするように構成された一連の機械的インタフェース構成要素（図示せず）を含んでいてもよい。ハウジング半部（ならびに本明細書に記載されている他の構成要素）は、組み立て目的のために単独また組み合わせて利用される位置合せピン、スナップ式接続部、舌状および溝状接続部、ロックタブ、接着ポートなどを用いて一緒に組み立てられ得ることが想定される。
【００５４】
いくつかの実施形態では、ハンドル本体１７３は、少なくともマイクロ波信号増幅器モジュール１８０をその中に収容するように構成された内部空間を有するハンドル本体チャンバ１７６をその中に画定しており、把持部材１７５は、少なくとも自己内蔵型電源１１８をその中に収容するように構成された内部空間を有する把持部材チャンバ１７８をその中に画定している。ハンドル本体１７３は、把持部材チャンバ１７８を１つ以上の区画（例えば、封止可能な電池保持区画）に仕切るように構成された１つ以上の内壁（図示せず）を含んでいてもよい。いくつかの構成では、把持部材チャンバ１７８は、把持部材１７５内の１つ以上の内壁（図示せず）によって画定された別個の区画内に配置され得る自己内蔵型電源１１８および制御装置１２６をその中に含むのに十分な内部空間を有する。
【００５５】
ハンドル本体チャンバ１７６および／または把持部材チャンバ１７８は、ハンドル本体１７３および／または把持部材１７５内に画定された開口部に通信可能に関連する開放端を含んでいてもよい。そのような場合、例えば、ハンドル本体チャンバ１７６またはその一部および／または把持部材チャンバ１７８またはその一部内に配置されたかそれ以外の方法でそれらに関連する医療装置１００のマイクロ波信号増幅器モジュール１８０、自己内蔵型電源１１８および／または他の構成要素の取り外しを可能にするように、開口部は取り外し可能なカバープレートで覆われていてもよい。
【００５６】
プローブ１００は、組織焼灼用途での使用に適したアンテナアセンブリ（またはアンテナアレイ）などの任意の好適な種類の１つ以上のアンテナを含んでいてもよい。説明および理解を容易にするために、プローブ１００は、単一のアンテナアセンブリ１２を含むものとして記載されている。いくつかの実施形態では、プローブ１００は、アンテナアセンブリ１２またはその一部の周りに画定された冷却液チャンバ（図示せず）を含んでいてもよい。
【００５７】
プローブ１１０は一般に、給電路１１（またはシャフト）によってハンドルアセンブリ１７０に接続された放射アンテナ部を有するアンテナアセンブリ１２（例えば、ダイポール型、モノポール型、ヘリカル型または他の好適な種類のアンテナアセンブリ）を含む。アンテナアセンブリ１２は、直線状またはループ状のいずれかの放射アンテナ部などを有するマイクロ波アンテナアセンブリであってもよく、治療される組織に挿入してもそれに隣接して配置してもよい。アンテナアセンブリ１２および給電路１１は、様々な寸法（例えば、直径および長さ）を有していてもよい。電力処理を向上させるために、流体（例えば、食塩水または水）によって給電路１１を冷却してもよい。アンテナアセンブリ１２に、冷却液チャンバ（図示せず）が設けられていてもよい。給電路１１は、好適な柔軟性、半剛性または剛性のマイクロ波導電性ケーブルで形成されていてもよく、マイクロ波信号増幅器モジュール１８０に直接接続していてもよい。給電路１１は、追加または代わりとして、アンテナアセンブリ１２を伝送線路１５を介して遠隔電気手術用電力発生源２８に電気的に接続するように構成されていてもよい。
【００５８】
自己内蔵型電源１１８は、医療装置１００に電力を供給するのに使用される電池、電池パック、燃料電池および／または高エネルギーコンデンサの任意の組み合わせであってもよい。例えば、コンデンサを電池パックと共に使用してもよい。そのような場合、電池は典型的に、そこから電流を急速に引き出すことができない低排出装置であるため、コンデンサが一気に電力を放出して、電池が供給することができる速度よりも急速にエネルギーを供給してもよい。電池をコンデンサに接続してコンデンサを充電し得ることが想定される。電池パックは、少なくとも１つの使い捨ての電池を含んでいてもよい。そのような場合、使い捨ての電池は、約９ボルト〜約３０ボルトであってもよく、リチウムイオン電池であってもよい。リチウム電池はより長い耐用年数を可能にし、それにより電池交換を最小限に抑えてもよい。ハンドルアセンブリ１７０は、自己内蔵型電力源１１８を、例えば、電池交換を容易にするために装置１００から容易に取り外すことができるように構成されていてもよい。
【００５９】
電源スイッチ１２１は、任意の好適なスイッチ構成を利用してもよい。医療装置１００と共に使用するのに適し得るスイッチ構成の例としては、押しボタン、トグルスイッチ、ロッカースイッチ（例えば、図５および図６に示す５２１）、触覚スイッチ、スナップスイッチ、ロータリースイッチ、スライドスイッチおよびサムホイールスイッチが挙げられるが、これらに限定されない。いくつかの実施形態では、電源スイッチ１２１は、トリガガード１１２内に配置されたトリガ１１１を含む。トリガ１１１およびトリガガード１１２の形状および大きさは、図１に示す構成とは異なっていてもよい。
【００６０】
スイッチ１２１に代わるものとして、あるいはそれに加えて、ハンドルアセンブリ１７０は、音声入力技術を含んでいてもよく、制御装置１２６に組み込まれたハードウェアおよび／またはソフトウェア、あるいは制御装置１２６に接続された別個のデジタルモジュールを含んでいてもよい。音声入力技術としては、音声認識、ボイスアクチベーション、音声調整および／または埋め込み音声が挙げられる。ユーザが、音声コマンドを介して、例えば、他の器具を操作するためにユーザの手の一方または両方を使用せずに、全体または部分的に装置の操作を制御できるようにしてもよい。ユーザにフィードバックを提供するために音声または他の可聴出力を使用してもよい。
【００６１】
いくつかの実施形態では、図１に示すように、手持ち式医療装置１００は、コネクタ１９に接続された伝送線路１５を含み、伝送線路１５はさらに、プローブ１１０を遠隔電気手術用電力発生源２８、例えば、マイクロ波またはＲＦ電気手術用発生器に動作可能に接続している。いくつかの実施形態では、遠隔電力発生源２８は、約３００ＭＨｚ〜約１０ＧＨｚの動作周波数でマイクロ波エネルギーを供給するように構成されている。遠隔電力発生源２８は、焼灼、モノポーラおよびバイポーラ切断、凝固および他のモードなどの様々なモードで動作するように構成されていてもよい。本開示に係る電気手術用発生器（例えば、図１の電気手術用電力発生源２８）の一実施形態は、図２により詳細に示されている。但し、当然のことながら、他の独立型電気手術用発生器の実施形態を使用してもよい。いくつかの実施形態では、伝送線路１５の遠位部は、ハンドルアセンブリ１７０内（例えば、把持部材１７５および／またはハンドル本体１７３内）に配置されてもよい。伝送線路１５は、追加または代わりとして、冷却液源１８から医療装置１００の１つ以上の構成要素に冷却液を供給するように構成された導管（図示せず）を提供してもよい。
【００６２】
図示されていない他の実施形態では、ハンドルアセンブリ１７０は、ユーザがプローブ１００に伝達される電力パラメータ（例えば、電圧、電力および／または電流の強さ）を調整することができるように構成された強度制御装置を含んでいてもよい。強度設定は、例えば、電気手術器具および／またはアタッチメントの選択、所望の手術効果、外科的専門性および／または外科医の好みに基づいて事前に設定しても、ルックアップテーブルから選択してもよい。この選択は自動で行っても、ユーザが手動で行ってもよい。強度値は、事前に決定してもユーザが調整してもよい。様々な強度制御装置の設計およびハンドルアセンブリ１７０上の強度制御装置の異なる位置を使用し得ることが好ましい。強度制御装置の実施形態の例は、同一出願人による「制御が向上した電気手術用ペンシル(ELECTROSURGICAL PENCIL WITH IMPROVED CONTROLS）」という発明の名称の米国特許第７，１５６，８４４号に開示されており、その開示内容全体が参照により本明細書に組み込まれる。
【００６３】
図示されていない他の実施形態では、ハンドルアセンブリ１７０は、放射線検出器を含んでいてもよい。放射線検出器は、電磁放射線を検出し、かつそれを電気信号などの別の形態のエネルギーに変換することができる任意の好適な装置を含んでいてもよく、制御装置１２６に電気的に接続されていてもよい。放射線検出器の実施形態の例は、２００９年８月１８日に出願された同一出願人による「マイクロ波焼灼アンテナ放射線検出器(MICROWAVE ABLATION ANTENNA RADIATION DETECTOR)」という発明の名称の米国特許出願第１２／５４２，７８５号に開示されており、その開示内容全体が参照により本明細書に組み込まれる。
【００６４】
図示されていない他の実施形態では、医療装置１００は、流体の圧力および／または流速を監視および／または調整するように構成され、かつ異常な流体循環状況を示す信号を生成することができる流体流監視システムを含んでいてもよい。流体流監視システムは、プローブ１１０に流入および／または流出する流体流の圧力および／または流速を検知することができるプローブ１１０に流体連通して配置された１つ以上のセンサを含んでいてもよい。そのような場合、センサは、制御装置１２６に電気的に接続されていてもよい。流体流監視システムの実施形態の例は、２００９年９月２９日に出願された同一出願人による「流体冷却されるマイクロ波焼灼プローブのための流速監視装置(FLOW RATE MONITOR FOR FLUID COOLED MICROWAVE ABLATION PROBE)」という発明の名称の米国特許出願第１２／５６８，９７２号、２００９年９月２４日に出願された「焼灼プローブへの遮断された流体流の光検出(OPTICAL DETECTION OF INTERRUPTED FLUID FLOW TO ABLATION PROBE)」という発明の名称の米国特許出願第１２／５６６，２９９号、および、２００９年９月２９日に出願された「流体冷却されたマイクロ波焼灼プローブのための流速監視装置(FLOW RATE MONITOR FOR FLUID COOLED MICROWAVE ABLATION PROBE)」という発明の名称の米国特許出願第１２／５６９，６８５号に開示されており、それらの開示内容全体が参照により本明細書に組み込まれる。
【００６５】
図示されていない他の実施形態では、ハンドルアセンブリ１７０は、プローブ１１０から反射された電力信号を監視するように構成された反射電力監視システムを含んでいてもよい。例えば、エネルギーは、焼灼された組織から反射し、アンテナアセンブリ１２によって受信されることがある。アンテナアセンブリ１２に移動しないエネルギーは（例えば、アンテナおよび給電路が整合インピーダンスを有していない場合）、反射されてエネルギー源に戻ることがある。いくつかの実施形態では、反射電力監視システムは、制御装置１２６に電気的に接続されており、プローブ１１０から反射された電力信号を検出することができる任意の好適な装置を含んでいてもよい。電力センサは、順方向および反射電力を監視するための電力センサを含んでいてもよく、アンテナアセンブリ１２によって利用されるマイクロ波信号増幅器モジュール１８０（および／または電気手術用電力発生源２８）の電力出力を測定してもよい。電力測定システムの実施形態の例は、２００８年９月３０日に出願された同一出願人による「マイクロ波焼灼用発生器制御システム(MICROWAVE ABLATION GENERATOR CONTROL SYSTEM)」という発明の名称の米国特許出願第１２／２４２，１０２号に開示されており、その開示内容全体が参照により本明細書に組み込まれる。
【００６６】
本開示の実施形態によれば、マイクロ波信号増幅器モジュール１８０の動作パラメータおよび／または医療装置１００に動作可能に関連する様々なセンサ、例えば、放射線検出器（図示せず）および流体流監視システム（図示せず）によって監視された情報の少なくとも一部を、手術室内のビデオ画面または監視システムに提供してもよい。医療装置１００にデータポート（図示せず）が設けられていてもよく、データポートを介して手術室監視システム用受信機にデータを伝送してもよく、データポートは、有線（例えば、Ｆｉｒｅｗｉｒｅ（登録商標）、ＵＳＢ、シリアルＲＳ２３２、シリアルＲＳ４８５、ＵＳＡＲＴ、イーサネット（登録商標）、ＨＤＭＩ、ミニＨＤＭＩなど）および／または無線（例えば、ブルートゥース（登録商標）、ＡＮＴ３（登録商標）、ＫＮＸ（登録商標）、Ｚ−Ｗａｖｅ（登録商標）、Ｘ１０（登録商標）、無線ＵＳＢ、Ｗｉ−Ｆｉ（登録商標）、ＩｒＤＡ（登録商標）、ＮａｎｏＮｅｔ（登録商標）、ＴｉｎｙＯＳ（登録商標）、ＺｉｇＢｅｅ（登録商標）、８０２．１１ＩＥＥＥ、ならびに他の無線、赤外線、ＵＨＦおよびＶＨＦ通信など）であってもよい。そのような特徴によって、医療装置１００のユーザまたは他の手術室もしくは病院職員あるいは遠隔に位置する人による監視を容易にしてもよい。
【００６７】
図２は、従来のマイクロ波エネルギー発生／伝達システム２０の様々な機能構成要素を示すブロック図である。従来のシステム２０は、マイクロ波発生器２８、伝送線路２１５およびマイクロ波エネルギー伝達装置２１０を備える。マイクロ波発生器２８は、直流電力供給部２０４からの直流電力および信号発生器２０６からのマイクロ波信号を生成および供給する発電回路２０２を含む。直流電力供給部２０４からの直流電力および信号発生器２０６からのマイクロ波信号は、所望の電力レベルまでマイクロ波信号を増幅する第１のマイクロ波増幅器ユニット２０８に供給される。第１のマイクロ波増幅器ユニット２０８は、信号発生器２０６によって生成されたマイクロ波信号を所望のエネルギーレベルまで増幅するための１つ以上の電力増幅器を含んでいてもよい。
【００６８】
第１のマイクロ波増幅器ユニット２０８から出力されたマイクロ波信号は、発生器コネクタ２０９に接続された伝送線路２１５の第１の端部に供給される。伝送線路２１５の第２の端部は、マイクロ波エネルギー伝達装置２１０の伝達装置コネクタ２１２に接続している。マイクロ波信号は、装置の伝送線路２１４を通って、マイクロ波エネルギー伝達装置２１０の遠位端にあるアンテナ２１６まで移動する。
【００６９】
図３は、装置３００のハンドルアセンブリ３７０に電力供給部／制御装置モジュール３４４およびマイクロ波信号増幅器モジュール３８０を含む、本開示の一実施形態に係る手持ち式医療装置３００を示す。ハンドルアセンブリ３７０は様々な構成を有していてもよく、そのうちのいくつかは、電力供給部／制御装置モジュール３４４および／またはマイクロ波信号増幅器モジュール３８０を装置３００のハンドルアセンブリ３７０から完全に取り外し、モジュール的に他の電力供給部／制御装置および／またはマイクロ波信号増幅器モジュールと交換することができる。
【００７０】
電力供給部／制御装置モジュール３４４は、本説明では後でより詳細に説明するが、自己内蔵型電源３１８と、制御装置３２６と、制御装置３２６に通信可能に接続されたメモリ３２７とを含む。マイクロ波信号増幅器モジュール３８０は、マイクロ波増幅器ユニット３８９を含み、マイクロ波増幅器ユニット３８９に電気的に接続された信号発生器３８６を含んでいてもよい。マイクロ波増幅器ユニット３８９および信号発生器３８６はそれぞれ、図１に示すマイクロ波増幅器ユニット１８９および信号発生器１８６に類似しており、そのさらなる説明は簡潔のために省略する。
【００７１】
ハンドルアセンブリ３７０は一般に、ユーザによって把持されるように構成された把持部材３７５と、その遠位端３７でエネルギー照射装置またはプローブ１１０を支持するように構成されたハンドル本体３７３とを含む。ハンドルアセンブリ３７０は、好適な材料特性（例えば、強度重量特性）を有する任意の好適な材料または材料の組み合わせで形成されていてもよい。いくつかの実施形態では、ハンドルアセンブリ３７０またはその一部は、例えば、特定の用途の必要性に応じて、金属およびプラスチックまたは他の非金属材料の組み合わせで、あるいは完全にプラスチックまたは他の非金属材料で形成されていてもよく、経済的に製造することができる。
【００７２】
ハンドル本体３７３は、装置３００の１つ以上の構成要素（例えば、マイクロ波信号増幅器モジュール３８０）をその中に収容するように構成されたハンドル本体チャンバ３７６をその中に画定している。把持部材３７５は、把持部材チャンバ３７８をその中に画定するハウジング３７４を含む。把持部材ハウジング３７４は、把持部材チャンバ３７８に連通して配置された開放した底端３７９を含み、ユーザが手で把持するのに適した任意の形状（例えば、一般に管状の形状）を有していてもよい。把持部材３７５は、開放した底端３７９を覆うように構成された底部３７７を含む。いくつかの実施形態では、底部３７７は、把持部材ハウジング３７４に取り外し可能に接続可能である（例えば、螺合可能である）ように構成されていてもよい。
【００７３】
いくつかの実施形態では、底部３７７は、スナップフィットで把持部材ハウジング３７４に機械的に係合するように構成されていてもよく、あるいは代わりとして、任意の他の好適な方法でハウジング３７４に接続されるように構成されていてもよい。本明細書で使用されている「スナップフィット」とは、部材の少なくとも一方が、部材を接続すると他方の部材に係合してそれらを一緒に保持する噛み合いを形成する突起部および／または当接部を有し、部材の少なくとも一方が、部材を一緒にすると、部材が互いに接合するにつれて撓曲可能な部分が噛み合いを解除するように撓み、かつ弾性的に跳ね返って噛み合いを再形成するように弾性的に変形可能または撓曲可能な部分を有する、２つの部材の係合または組立てを指す。
【００７４】
医療装置３００は、ハンドルアセンブリ３７０に関連する電源スイッチ３２１を含む。いくつかの実施形態では、ハンドルアセンブリ３７０は、図３に示されているその間の点線によって示されているように、電源スイッチ３２１と制御装置３２６との間に電気的接続を提供するように構成されている。電源スイッチ３２１は、接続状態と切断状態との間で、マイクロ波信号増幅器モジュール３８０またはその構成要素（例えば、マイクロ波増幅器ユニット３８９）から自己内蔵型電源３１８に電気的接続を切替えることができるように、単独または制御装置３２６と共に動作可能であるように構成されていてもよい。電力供給部／制御装置モジュール３４４内に配置されたかそれ以外の方法でそれらに関連する自己内蔵型電源３１８は、図１に示す自己内蔵型電源１１８に類似しており、そのさらなる説明は簡潔のために省略する。
【００７５】
ハンドルアセンブリ３７０は、電源スイッチ３２１、電力供給部／制御装置モジュール３４４またはその構成要素（例えば、自己内蔵型電源３１８および／または制御装置３２６）および／またはマイクロ波信号増幅器モジュール３８０またはその構成要素（例えば、マイクロ波増幅器ユニット３８９）間の様々な構成の電気的接続、例えば、通信シグナルおよび／または電力の移動に適するように構成された１つ以上の電気伝導体を提供するように構成されていてもよい。電力供給部／制御装置モジュール３４４は、ハンドルアセンブリ３７０のいくつかの回路との電気的接続を形成するのに適した１つ以上の電気コネクタまたは端子が設けられた１つ以上のコネクタ部を含んでいてもよい。マイクロ波信号増幅器モジュール３８０は、ハンドルアセンブリ３７０のいくつかの回路との電気的接続を形成するのに適した１つ以上の電気コネクタまたは端子が設けられた１つ以上のコネクタ部を含んでいてもよい。
【００７６】
いくつかの実施形態では、図３に示すように、電力供給部／制御装置モジュール３４４は、ハンドルアセンブリ３７０のいくつかの回路との電気的接続を形成するための複数の電気コネクタまたは端子を有するコネクタ部３４５を含み、マイクロ波信号増幅器モジュール３８０は、ハンドルアセンブリ３７０のいくつかの回路との電気的接続を形成するための電気コネクタまたは端子を有する第１のコネクタ部３８１と、プローブ１１０との間に電気的接続を形成するための１つの電気コネクタまたは端子を有する第２のコネクタ部３８２とを含む。ハンドルアセンブリ３７０、マイクロ波信号増幅器モジュール３８０および電力供給部／制御装置モジュール３４４の形状および大きさは、図３に示す構成とは異なっていてもよい。
【００７７】
電力供給部／制御装置モジュール３４４内に配置されたかそれらに関連する制御装置３２６は、メモリ３２７内に格納された一連の命令を実行することができる任意の種類の計算装置、計算回路あるいは任意の種類の処理装置または処理回路を含んでいてもよい。制御装置３２６は、電源スイッチ３２１、強度制御装置（図示せず）などのユーザが操作可能なインタフェース要素および／または、限定されるものではないが、任意の好適な種類のスイッチ、タッチスクリーンおよびポインティングデバイス（例えば、ジョイスティックまたはトラックボール）などのユーザが操作可能な他のインタフェース要素から受信した１つ以上の電気信号に応答して、自己内蔵型電源３１８および／またはマイクロ波信号増幅器モジュール３８０またはその構成要素（例えば、マイクロ波増幅器ユニット３８９）を制御するように構成された論理、回路および／またはコードを含んでいてもよい。制御装置３２６は、オペレーティングシステムのプラットフォームおよびアプリケーションプログラムを実行するように構成されていてもよい。
【００７８】
電力供給部／制御装置モジュール３４４を有するメモリ３２７は、例えば、エネルギー照射装置データ（例えば、プローブ１１０に関連するパラメータ）、マイクロ波信号増幅器モジュール３８０またはその構成要素に関連するデータおよび／または他のデータなどのコードおよびデータを格納することができる任意の装置または媒体を含んでいてもよい。エネルギー照射装置またはエネルギー照射装置アレイに関連するメモリ３２７内に格納されるパラメータとしては、エネルギー照射装置（またはエネルギー照射装置アレイ）の識別子、エネルギー照射装置（またはエネルギー照射装置アレイ）の寸法、周波数、焼灼長さ（例えば、放射部分長さに対する）、焼灼直径、時間係数、形状測定基準および／または周波数測定基準が挙げられるが、これらに限定されない。図示されていない他の実施形態では、メモリは、追加または代わりとして、マイクロ波信号増幅器モジュール３８０内に配置されているか、それ以外の方法でそれに関連していてもよい。
【００７９】
制御装置３２６は、例えば、所望の手術結果を達成するために、メモリ３２７内に格納されたエネルギー照射装置データおよび／または他のデータ（例えば、マイクロ波増幅器ユニット３８９および／または信号発生器３８６に関連するデータ）とは独立して、あるいはそれらと共に、医療装置３００に動作可能に関連する反射電力監視システム（図示せず）、流体流監視システム（図示せず）および／または１つ以上のセンサ、例えば、放射線検出器（図示せず）から受信した１つ以上の電気信号に応答して、マイクロ波信号増幅器モジュール３８０またはその構成要素に関連する１つ以上の動作パラメータを制御するように構成されていてもよい。マイクロ波信号増幅器モジュール３８０に関連する動作パラメータの例としては、温度、インピーダンス、電力、電流、電圧、動作モードおよび電磁エネルギーの照射持続時間が挙げられる。
【００８０】
いくつかの実施形態では、図３に示すように、医療装置３００は、ハンドルアセンブリ３７０に関連するユーザ入力装置３６５を含む。ユーザ入力装置３６５は、ユーザが親指、その他の指または手掌で容易にポインティングデバイス３６５を制御することができるようにハンドル本体３７３上に人間工学的に配置されたポインティングデバイス（例えば、ジョイスティックまたはトラックボール）として具現化してもよい。ハンドルアセンブリ３７０は、図３に示すその間の点線によって示されているように、ポインティングデバイス３６５と制御装置３２６との電気的接続を提供するように構成されていてもよい。ポインティングデバイス３６５に代わるものとして（またはそれに追加して）、医療装置３００は、例えば、制御装置３２６または制御装置３２６に接続された別個のデジタルモジュール（図示せず）に組み込まれたハードウェアおよび／またはソフトウェアなどの音声入力技術を含んでいてもよい。音声入力技術としては、音声認識、ボイスアクチベーション、音声調整および／または埋め込み音声機能が挙げられる。
【００８１】
ポインティングデバイス３６５の指示方向を表わすポインティングデバイス３６５から出力された電気信号は、組織内への電磁エネルギー伝達の１つ以上のパラメータと相関していてもよい。いくつかの実施形態では、医療装置３００は、ユーザが行ったポインティングデバイス３６５の移動に応答して、電力パラメータ（例えば、電圧、電力および／または電流の強さ）および／または、認識される出力強度に影響を与える電力対インピーダンス曲線の形状を調整するように構成されている。例えば、特定の方向（例えば遠位方向）へのポインティングデバイス３６５の横移動が大きくなる程、プローブ１１０に伝送される電力パラメータのレベルが大きくなる。強度設定は、例えば、プローブ１１０の構成、所望の手術効果、外科的専門性および／または外科医の好みに基づいて、事前に設定しても、ルックアップテーブルから選択してもよい。この選択は自動で行っても、ユーザが手動で行ってもよい。ポインティングデバイス３６５の形状、大きさおよび位置は、図３に示す構成とは異なっていてもよい。ジョイスティック型のユーザ入力装置が図３に示されているが、トラックボール、タッチスクリーンなどの任意の種類のユーザ入力装置３６５を使用してもよい。
【００８２】
図４は、装置４００のハンドルアセンブリ４７０にマイクロ波信号増幅器／制御装置モジュール４８０、自己内蔵型電源４１８およびユーザインタフェース４９１を含む、本開示の一実施形態に係る手持ち式医療装置４００を示す。ハンドルアセンブリ４７０は様々な構成を有していてもよく、そのうちのいくつかは、マイクロ波信号増幅器／制御装置モジュール４８０および／または自己内蔵型電源４１８を装置４００のハンドルアセンブリ４７０から完全に取り外し、モジュール的に他のマイクロ波信号増幅器／制御装置モジュールおよび／または自己内蔵型電源と交換することができる。自己内蔵型電源４１８は、大きさおよび形状を除いて図１に示す自己内蔵型電源１１８に類似しており、そのさらなる説明は簡潔のために省略する。マイクロ波信号増幅器／制御装置モジュール４８０は、マイクロ波増幅器ユニット４８９と、マイクロ波増幅器ユニット４８９に電気的に接続された信号発生器４８６と、制御装置４２６と、制御装置４２６に通信可能に接続されたメモリ４２７とを含む。
【００８３】
ハンドルアセンブリ４７０は一般に、ユーザによって把持されるように構成された把持部材４７５と、その遠位端４７でエネルギー照射装置またはプローブ１１０を支持するように構成されたハンドル本体４７３とを含む。例えば、滅菌または他の目的のためにプローブを装置４００から取り外し、かつ／または、所望どおりに、プローブ１１０を別のエネルギー照射装置またはプローブと容易に交換できるように、ハンドルアセンブリ４７０は、プローブ１１０に取り外し可能に係合するように構成されていてもよい。ハンドル本体４７３は、例えば、自己内蔵型電源４１８などの装置４００の１つ以上の構成要素を収容するように構成されたハンドル本体チャンバ４７６をその中に画定している。
【００８４】
把持部材４７５は、把持部材ハウジング４７４および底部４７７を含む。把持部材ハウジング４７４は、把持部材チャンバ４７８をその中に画定しており、チャンバ４７８と連通して配置された開放した底端４７９を含む。把持部材チャンバ４７８は、装置４００の１つ以上の構成要素、例えば、マイクロ波信号増幅器／制御装置モジュール４８０を収容するように構成されている。把持部材４７５の底部４７７は、開放した底端４７９を覆うように構成されており、把持部材ハウジング４７４に対して回動可能に取り付けられていてもよい。いくつかの実施形態では、図４に示すように、底部４７７は、把持部材ハウジング４７４に接続された回動ピン４９１の周りに回動可能に取り付けられた１つの端部を有する。底部４７７は、代わりとして、任意の他の好適な方法でハウジング４７４に接続されるように構成されていてもよい。
【００８５】
ユーザインタフェース４９１は、１つ以上のユーザ入力装置を含んでいてもよい。いくつかの実施形態では、図４に示すように、ユーザインタフェース４９１は、トラックボール型ポインティングデバイス４９５と、画面４９３とを含む。画面４９３は、テキストおよび／または１つ以上のユーザインタフェース要素、例えば、グラフィカルなアイコン、視覚インジケータおよび／または視覚的合図（例えば、情報伝達のために使用される場合には、位置、色および対称性のような特性）を視覚的に表示するように構成されていてもよい。いくつかの実施形態では、フラットパネルディスプレイ、例えば、ＬＣＤ（液晶ディスプレイ）、プラズマディスプレイパネル（ＰＤＰ）、有機発光ダイオード（ＯＬＥＤ）またはＥＬディスプレイ（ＥＬＤ）を画面４９３として使用してもよい。フラットパネルディスプレイは、非常に薄いプロファイルを有していてもよい。画面４９３は、完全または部分的に、ハンドル本体４７３内に形成された凹部内に配置されてもよい。
【００８６】
いくつかの実施形態では、画面４９３は、タッチスクリーン機能（図示せず）、例えば、画面４９３との物理的な接触によって、限定されるものではないがスタイラスまたはユーザの指先などの物体からの入力を受け取る機能を備える。画面４９３上のユーザインタフェース要素は、ユーザインタフェース要素に関連するアクティブ領域内で画面に接触することによって、ユーザインタフェース要素に関連する入力がユーザインタフェース４９１によって受信されるように、対応するアクティブ領域を有していてもよい。いくつかの実施形態では、ユーザインタフェース４９１は、ユーザ入力、例えば、ユーザインタフェース要素に関連する入力を示す１つ以上の電気信号を制御装置４２６に伝送することができるように構成されている。制御装置４２６は、ユーザインタフェース４９１から受信したユーザ入力を示す１つ以上の電気信号に基づいて、装置４００またはその構成要素に関連する１つ以上の動作パラメータを制御するように構成されていてもよい。
【００８７】
ユーザインタフェース４９１および制御装置４２６は、ユーザ入力機能および／または医療装置４００の使用および／またはプログラミングを簡易化させる機能を提供するために、通信可能に接続され、かつ好適に構成されていてもよい。いくつかの実施形態では、ユーザインタフェース４９１は、制御装置４２６に通信可能に接続された画面４９３を含んでおり、タッチスクリーン機能を備えていてもよく、また、例えば、特定の目的に応じて、および／または所望の手術結果を達成するために、ユーザが医療装置４００またはその構成要素の１つ以上の動作パラメータを選択的に構成できるように、制御装置４２６に通信可能に接続されたポインティングデバイス４９５（および／または他のユーザ入力装置）をさらに含んでいてもよい。
【００８８】
いくつかの実施形態では、ハンドルアセンブリ４７０は、ポインティングデバイス４９５と制御装置４２６との間に電気的接続４６５を提供するように構成されている。ハンドルアセンブリ４７０は、追加または代わりとして、例えば、医療装置４００の操作中にユーザインタフェース機能を高めるために画面４９３と制御装置４２６との間に電気的接続４６３を提供するように構成されていてもよい。ハンドルアセンブリ４７０は、電源スイッチ４２１、自己内蔵型電源４１８、ユーザインタフェース４９１またはその構成要素（例えば、画面４９３および／またはポインティングデバイス４９５）、および／またはマイクロ波信号増幅器／制御装置モジュール４８０またはその構成要素（例えば、マイクロ波増幅器ユニット４８９および／または制御装置４２６）間に様々な構成の電気的接続を提供するように構成されていてもよい。図４に示す医療装置４００の様々な構成要素間の電気的接続を示す点線は単に例示であって、電気的接続の非限定的な例であり、本開示の医療装置の実施形態は、多くの異なる構成の電気的接続を利用することができ、図４に示すものよりも少ない電気的接続を有する場合もあれば、さらなる電気的接続を有する場合もあることを理解されたい。医療装置４００は、図１および図３に示す医療装置の実施形態の電気的接続のいずれかを含んでいてもよい。マイクロ波信号増幅器／制御装置モジュール４８０、自己内蔵型電源４１８およびハンドルアセンブリ４７０の形状および大きさは、図４に示す構成とは異なっていてもよい。
【００８９】
制御装置４２６は、制御装置４２６に関連するメモリ（図示せず）内に格納された一連の命令を実行することができる任意の種類の計算装置、計算回路あるいは任意の種類の処理装置または処理回路を含んでいてもよい。制御装置４２６は、所望の手術結果を達成するために、単独で、あるいはポインティングデバイス４９５および／または限定されるものではないが、スイッチ（例えば、プッシュボタンスイッチ、トグルスイッチ、スライドスイッチ）および／または連続アクチュエータ（例えば、回転または線形電位差計、回転または線形エンコーダ）などの他の制御装置（図示せず）から受信した１つ以上の電気信号と共に画面４９３から受信した１つ以上の電気信号に応答して、自己内蔵型電源４１８、マイクロ波増幅器ユニット４８９および／または信号発生器４８６を制御するように構成された論理、回路および／またはコードを含んでいてもよい。いくつかの実施形態では、反射電力監視システム（図示せず）は、制御装置４２６に電気的に接続されており、プローブ１１０から反射された電力信号を検出することができる任意の好適な装置を含んでいてもよい。
【００９０】
図５は、装置５００のハンドルアセンブリ５７０にマイクロ波増幅器ユニット５８９および自己内蔵型電源５１８を含む、本開示の一実施形態に係る手持ち式医療装置５００を示す。いくつかの実施形態では、図５に示すように、マイクロ波増幅器ユニット５８９およびプローブ１１０は、単一体（本明細書ではプローブ／増幅器アセンブリという）を形成するために互いに機械的に接続されている。図５に示す実施形態では、マイクロ波増幅器ユニット５８９は、伝送線路５１５を介してコネクタ５１９に電気的に接続されており、さらにコネクタ５１９は、マイクロ波増幅器ユニット５８９を遠隔信号発生器５８６に動作可能に接続している。図示されていない他の実施形態では、医療装置５００は、追加として、ユーザが電力パラメータ（例えば、電圧、電源および／または電流の強さ）を調整することができるように構成された強度制御装置、放射線検出器および／または反射電力監視システムを含んでいてもよい。
【００９１】
ハンドルアセンブリ５７０は一般に、ユーザによって把持されるように構成された把持部材５７５と、その遠位端５７でエネルギー照射装置またはプローブ１１０を支持するように構成されたハンドル本体５７３とを含む。ハンドル本体５７３は、例えば、マイクロ波増幅器ユニット５８９および自己内蔵型電源５１８などの装置５００の１つ以上の構成要素を収容するように構成されたハンドル本体チャンバ５７６をその中に画定している。
【００９２】
例えば、プローブ／増幅器アセンブリ５１０を医療装置５００から取り外し、かつ／または、所望どおりに、プローブ／増幅器アセンブリ５１０を別のプローブ／増幅器アセンブリと容易に交換できるように、ハンドルアセンブリ５７０は、プローブ／増幅器アセンブリ５１０に取り外し可能に係合するように構成されていてもよい。いくつかの実施形態では、ハンドルアセンブリ５７０は、例えば、ハンドル本体５７３の遠位５７に配置された取り外し可能な部分５７１を含む。いくつかの実施形態では、取り外し可能な部分５７１は、プローブ／増幅器アセンブリ５１０を医療装置５００から取り外すことができるように構成されている。取り外し可能な部分５７１は、ハンドル本体５７３に螺合されていても、それ以外の方法で取り外し可能に接続されていてもよい。ハンドルアセンブリ５７０は様々な構成を有していてもよく、そのうちのいくつかは、自己内蔵型電源５１８を装置５００のハンドルアセンブリ５７０から完全に取り外し、かつモジュール的に他の自己内蔵型電力供給部と交換することができる。自己内蔵型電源５１８は、図１に示す自己内蔵型電源１１８に類似しており、そのさらなる説明は簡潔のために省略する。
【００９３】
プローブ／増幅器アセンブリ５１０は、ハンドルアセンブリ５７０のいくつかの回路との電気的接続を形成するのに適した１つ以上の電気コネクタまたは端子が設けられた１つ以上のコネクタ部を含んでいてもよい。いくつかの実施形態では、図５に示すように、プローブ／増幅器アセンブリ５１０は、ハンドルアセンブリ５７０のいくつかの回路との電気的接続を形成するのに適した複数の電気コネクタまたは端子（図示せず）を含む、例えばマイクロ波増幅器ユニット５８９の近位端に配置されたコネクタ部５１１を含む。
【００９４】
いくつかの実施形態では、例えば、滅菌または他の目的のためにプローブ１１０をマイクロ波増幅器ユニット５８９から取り外すことができるように、マイクロ波増幅器ユニット５８９およびプローブ１１０は互いに取り外し可能に機械的に接続されている。マイクロ波増幅器ユニット５８９は、図１に示すマイクロ波増幅器ユニット１８９に類似しており、そのさらなる説明は簡潔のために省略する。
【００９５】
医療装置５００は、制御装置５２６と、ハンドルアセンブリ５７０に関連するスイッチ５２１とを含み、知覚可能な感覚的警報（音声、視覚的また他の感覚的警報であってもよい）を提供するように構成されたインジケータユニット５４０を含んでいてもよい。様々な実施形態に係るインジケータユニット５４０は、電力がインジケータユニット５４０に供給された場合に信号を生成するための論理または回路を含む警報または出力構成要素（図示せず）を含む。いくつかの実施形態では、インジケータユニット５４０は音声信号を生成するように構成されており、出力構成要素はスピーカ（図示せず）を有する音声回路を含む。いくつかの実施形態では、インジケータユニット５４０は視覚信号を生成するように構成されおり、出力構成要素は発光ダイオード（ＬＥＤ）などの光源を含む。
【００９６】
いくつかの実施形態では、図５に示すように、インジケータユニット５４０は、ハンドル本体５７３の上部遠位部分に配置された横並びの構成で第１のＬＥＤ５４１および第２のＬＥＤ５４２を含む。医療装置５００の操作中に、第１のＬＥＤ５４１および第２のＬＥＤ５４２はそれぞれ、ユーザに情報／フィードバック（例えば、視覚フィードバック）を提供してもよい。第１のＬＥＤ５４１および第２のＬＥＤ５４２の形状、大きさおよび位置は、図５に示す構成とは異なっていてもよい。図示されていない他の実施形態では、第１のＬＥＤ５４１および第２のＬＥＤ５４２の代わりに単一のＬＥＤを利用してもよい。インジケータユニット５４０は、追加または代わりとして、音声および／または他の知覚可能な感覚的警報を提供するように構成されていてもよい。インジケータユニット５４０は、ユーザに情報／フィードバックを提供するために、フラットパネルディスプレイ（例えば、液晶ディスプレイ（ＬＣＤ）または他の好適な表示装置）などの表示装置（図示せず）を含んでいてもよい。いくつかの実施形態では、ハンドルアセンブリ５７０は、インジケータユニット５４０と制御装置５２６との間に電気的接続（図示せず）を提供するように構成されている。制御装置５２６は、インジケータユニット５４０を制御して、医療装置５００の構成の間および／または医療処置（例えば、焼灼処置）を行うための装置５００の操作の間に、ユーザに、例えばハンドルアセンブリ５７０の特定の回路へのプローブ／増幅器アセンブリ５１０の電気的接続を示す知覚可能な感覚的フィードバックを提供するように構成された論理、回路および／またはコードを含んでいてもよい。
【００９７】
スイッチ５２１は、一般に電気回路のオン／オフを切り替える、またはある電気回路から別の電気回路に切り替えるという目的を果たす任意の好適なスイッチであればよい。いくつかの実施形態では、スイッチ５２１は、ロッカー型スイッチである。いくつかの実施形態では、ハンドルアセンブリ５７０は、スイッチ５２１と制御装置５２６との間に電気的接続を提供するように構成されている。ハンドルアセンブリ５７０は、マイクロ波増幅器ユニット５８９、制御装置５２６、自己内蔵型電源５１８および／またはスイッチ５２１間に様々な構成の電気的接続を提供するように構成されていてもよい。いくつかの実施形態では、ハンドルアセンブリ５７０は、マイクロ波増幅器ユニット５８９の出力をプローブ１１０に電気的に接続し、かつマイクロ波増幅器ユニットの１つ以上の入力を制御装置５２６および／または自己内蔵型電源５１８に電気的に接続するのに適した任意の構成の電気的接続（図５に点線で示されている）を提供するように構成されている。いくつかの実施形態では、反射電力監視システム（図示せず）は制御装置５２６に電気的に接続されており、プローブ１１０から反射された電力信号を検出することができる任意の好適な装置を含んでいてもよい。医療装置５００は、図１、図３および図４に示す医療装置の実施形態の電気的接続のいずれかを含んでいてもよい。
【００９８】
図６は、装置６００のハンドルアセンブリ６７０にマイクロ波信号増幅器モジュール６８０を含む、本開示の一実施形態に係る手持ち式医療装置６００を示す。ハンドルアセンブリ６７０は一般に、ユーザによって把持されるように構成された把持部材６７５と、その遠位端６７でエネルギー照射装置またはプローブ１１０を支持するように構成されたハンドル本体６７３とを含む。
【００９９】
ハンドル本体６７３は、例えば、マイクロ波信号増幅器モジュール６８０などの装置６００の１つ以上の構成要素を収容するように構成されたハンドル本体チャンバ６７６をその中に画定している。ハンドル本体６７３は、ハンドル本体チャンバ６７６を１つ以上の区画、例えば、マイクロ波発生器モジュール区画に仕切るように構成された１つ以上の内壁（図示せず）を含んでいてもよい。ハンドル本体６７３は、ハンドル本体チャンバ６７６またはその一部内に配置されたかそれ以外の方法でそれらに関連する医療装置６００のマイクロ波信号増幅器モジュール６８０および／または他の構成要素を取り外すことができるように構成されていてもよい。
【０１００】
マイクロ波信号増幅器モジュール６８０は、ハンドルアセンブリ６７０のいくつかの回路との電気的接続を形成するのに適した１つ以上の電気コネクタまたは端子が設けられた１つ以上のコネクタ部を含んでいてもよい。いくつかの実施形態では、図６に示すように、マイクロ波信号増幅器モジュール６８０は、ハンドルアセンブリ６７０の特定の回路との電気的接続を形成するのに適した複数の電気コネクタまたは端子（図示せず）を含む、例えばマイクロ波信号増幅器モジュール６８０の遠位端に配置された第１のコネクタ部６８１と、ハンドルアセンブリ６７０の特定の回路との電気的接続を形成し、かつ／または、限定されるものではないが、独立型信号発生器（例えば、図５に示す５８６）および／または遠隔電気手術用電力発生源（例えば、図１に示す２８）またはその構成要素、例えば信号発生器（例えば、図２に示す２０６）などの１つ以上の遠隔装置との電気的接続を形成するのに適した複数の電気コネクタまたは端子（図示せず）を含む、例えばマイクロ波信号増幅器モジュール６８０の近位端に配置された第２のコネクタ部６８２とを含む。
【０１０１】
マイクロ波信号増幅器モジュール６８０は、マイクロ波増幅器ユニット６８９および信号発生器６８６を含む。マイクロ波増幅器ユニット６８９および信号発生器６８６はそれぞれ、図１に示すマイクロ波増幅器ユニット１８９および信号発生器１８６に類似しており、そのさらなる説明は簡潔のために省略する。
【０１０２】
医療装置６００は、制御装置６２６と、制御装置６２６に通信可能に接続されたメモリ６２７を含む。いくつかの実施形態では、反射電力監視システム（図示せず）は制御装置６２６に電気的に接続されており、プローブ１１０から反射された電力信号を検出することができる任意の好適な装置を含んでいてもよい。医療装置６００は、図１、図３、図４および図５に示す医療装置の実施形態の電気的接続のいずれかを含んでいてもよい。
【０１０３】
いくつかの実施形態では、制御装置６２６は、マイクロ波増幅器ユニット６８９への入力信号の供給源を制御するように構成された論理、回路および／またはコードを含んでいてもよく、信号発生器６８６によって生成された信号と遠隔信号発生器によって生成された信号との間で、マイクロ波増幅器ユニット６８９への入力信号を切り替えることができるものであってもよい。いくつかの実施形態では、医療装置６００は、図５のインジケータユニット５４０を備えていてもよく、制御装置６２６は、インジケータユニット５４０を制御して、マイクロ波増幅器ユニット６８９への入力信号の発信源を示す知覚可能な感覚的フィードバックをユーザに提供するように構成されてもよい。制御装置６２６は、図４に示す４８０の制御装置４２６に類似しており、そのさらなる説明は簡潔のために省略する。
【０１０４】
以下、本開示に係るエネルギーを組織に導く方法について、図７および図８を参照しながら説明する。本明細書に提供されている方法の工程は、本開示の範囲から逸脱することなく、組み合わせでも本明細書に提示されているものとは異なる順序でも実施し得ることを理解されたい。
【０１０５】
図７は、本開示の一実施形態に係るエネルギーを組織に導く方法を示すフローチャートである。工程７１０では、手持ち式装置１００を用意する。装置１００は、エネルギー照射装置１１０と、ハンドルアセンブリ１７０の遠位端１７でエネルギー照射装置１１０を支持するように構成されたハンドルアセンブリ１７０とを含む。
【０１０６】
工程７２０では、プローブ１１０を組織内に配置する。プローブ１１０を、組織内に直接挿入するか、手術中に臨床医によって体内に配置された内腔（例えば、静脈、針、内視鏡またはカテーテル）を介して挿入するか、あるいは他の好適な方法によって体内に配置してもよい。超音波またはコンピュータ断層撮影（ＣＴ）誘導を用いて、プローブ１１０を治療される組織の領域内に正確に誘導してもよい。プローブ１１０は、例えば、手術スタッフによる従来の手技を用いて、経皮的または組織上に配置してもよい。プローブ１１０は、指向性放射パターンで動作するように構成されていてもよい。
【０１０７】
工程７３０では、ハンドルアセンブリ内に配置されたマイクロ波増幅器ユニット１８９の出力口１９３からエネルギー照射装置を通って組織までエネルギーを伝送する。
【０１０８】
図８は、本開示の一実施形態に係るエネルギーを組織に導く方法を示すフローチャートである。工程８１０では、手持ち式装置１００を用意する。装置１００は、装置１００のハンドルアセンブリ１７０にマイクロ波信号増幅器モジュール１８０と、マイクロ波信号増幅器モジュール１８０に動作可能に接続されたアンテナアセンブリ１２を含むプローブ１１０とを含む。マイクロ波信号増幅器モジュール１８０は、高周波入力信号を増幅して高周波出力信号を生成するように構成されたマイクロ波増幅器ユニット１８９を含む。マイクロ波信号増幅器モジュール１８０は、マイクロ波増幅器ユニット１８９の入力口に伝送される高周波（例えば、マイクロ波）信号を生成することができる信号発生器１８６をさらに含んでいてもよい。
【０１０９】
工程８２０では、プローブ１１０を組織内に配置する。プローブ１１０を、組織内に直接挿入するか、手術中に臨床医によって体内に配置された内腔（例えば、静脈、針、内視鏡またはカテーテル）を介して挿入するか、あるいは他の好適な方法によって体内に配置してもよい。
【０１１０】
工程８３０では、高周波信号をマイクロ波増幅器ユニット１８９の入力口１９１で受信する。いくつかの実施形態では、手持ち式装置１００は、ユーザが、マイクロ波増幅器ユニット１８９の入力口１９１で受信されるに高周波信号の信号源を選択することができるように構成されていてもよい。いくつかの実施形態では、手持ち式装置１００は、ユーザが、マイクロ波信号増幅器モジュール１８０内に配置された信号発生器１８６と、高周波信号の外部電源２８とを選択的に切り替えることができるように構成されたスイッチ１６２を含んでいてもよい。
【０１１１】
工程８４０では、マイクロ波増幅器ユニットの出力口からアンテナアセンブリを通って組織までエネルギーを伝送する。臨床医は、マイクロ波エネルギーが照射される時間長さを事前に決定してもよい。照射持続時間は、腫瘍の大きさおよび位置ならびに腫瘍が続発性または原発性癌であるか否かなどの多くの要因によって決まってもよい。プローブ１００を用いるマイクロ波エネルギー照射の持続時間は、破壊される組織領域および／または周囲組織内の熱分配の進行によって決まってもよい。
【０１１２】
以下、本開示に係る医療装置の製造方法について、図９および図１０を参照しながら説明する。本明細書に提供されている方法の工程は、本開示の範囲から逸脱することなく、組み合わせでも本明細書に提示されているものとは異なる順序でも実施し得ることを理解されたい。
【０１１３】
図９は、本開示の一実施形態に係る医療装置１００の製造方法を示すフローチャートである。工程９１０では、ハンドルアセンブリ１７０を用意する。ハンドルアセンブリ１７０は、チャンバ１７６をその中に画定するハンドル本体１７３を含む。ハンドル本体１７３は、その遠位端１７でエネルギー照射装置またはプローブ１１０を支持するように構成されている。
【０１１４】
工程９２０では、マイクロ波信号増幅器モジュール１８０を用意する。マイクロ波信号増幅器モジュール１８０は、高周波入力信号を増幅して高周波出力信号を生成するように構成されたマイクロ波増幅器ユニット１８９を含む。マイクロ波信号増幅器モジュール１８０は、ハンドル本体１７３に関連する１つ以上の電気伝導体に取り外し可能に接続可能であるように構成された１つ以上の電気コネクタ（または端子）を含む１つ以上のコネクタ部（例えば、３つのコネクタ部１８１、１８２、１８３）を含む。いくつかの実施形態では、マイクロ波信号増幅器モジュール１８０は、追加として、マイクロ波増幅器ユニット１８９の入力口１９１に伝送される高周波（例えば、マイクロ波）信号を生成することができる信号発生器１８６を含んでいてもよい。
【０１１５】
工程９３０では、１つ以上のコネクタ部の１つ以上の電気コネクタをハンドル本体１７３に関連する１つ以上の電気伝導体に電気的に係合させるように、マイクロ波信号増幅器モジュール１８０をチャンバ１７６またはその一部の中に配置する。
【０１１６】
いくつかの実施形態では、医療装置１００の上記製造方法は、エネルギー照射装置またはプローブ１１０を用意し、かつハンドル本体１７３の遠位端１７でエネルギー照射装置またはプローブ１１０を接続するさらなる工程を含んでもよい。プローブ１００は、組織焼灼用途での使用に適したアンテナアセンブリ（またはアンテナアレイ）などの任意の好適な種類の１つ以上のアンテナを含んでいてもよい。プローブ１１０は、マイクロ波増幅器ユニット１８９からプローブ１１０に出力される高周波信号を伝送するように構成された任意の好適な構成の電気伝導体（例えば、伝送線路１９５）によって、マイクロ波信号増幅器モジュール１８０の出力口１９０および／またはマイクロ波増幅器ユニット１８９の出力口１９３に電気的に接続されてもよい。
【０１１７】
図１０は、本開示の一実施形態に係る医療装置１０の製造方法を示すフローチャートである。工程１０１０では、ハンドルアセンブリ１７０を用意する。ハンドルアセンブリ１７０は、チャンバ１７６をその中に画定するハンドル本体１７３を含む。エネルギー照射装置１１０は、ハンドル本体１７３の遠位端１７から遠位に延在している。１つ以上の導電経路を提供するために１つ以上の電気伝導体がハンドル本体に関連している。１つ以上の電気伝導体のうちの１つは、チャンバ１７６またはその一部からエネルギー照射装置１１０までの導電経路１９５を提供する。
【０１１８】
工程１０２０では、マイクロ波信号増幅器モジュール１８０を用意する。マイクロ波信号増幅器モジュール１８０は、高周波入力信号を増幅して高周波出力信号を生成するように構成されたマイクロ波増幅器ユニット１８９を含む。いくつかの実施形態では、マイクロ波信号増幅器モジュール１８０は、マイクロ波増幅器ユニット１８９の入力口１９１に伝送される高周波入力信号を生成するように構成された信号発生器１８６をさらに含む。
【０１１９】
マイクロ波増幅器ユニット１８９は、例えば、Ｅ級もしくはその変形、Ｆ級または逆Ｆ級設計などの高効率増幅器トポロジを利用することができるように、高周波スイッチング素子を有する１つ以上の固体増幅器を含んでいてもよい。いくつかの実施形態では、高周波スイッチング素子は、１つ以上の窒化ガリウム金属酸化物半導体電界効果トランジスタ(GaN MOSFET)を含む。
【０１２０】
工程１０３０では、マイクロ波信号増幅器モジュール１８０の１つ以上のコネクタ部（例えば、３つのコネクタ部１８１、１８２、１８３）の１つ以上の電気伝導体を、ハンドル本体１７３に関連する１つ以上の電気伝導体に電気的に係合させるように、マイクロ波信号増幅器モジュール１８０を、チャンバ１７６またはその一部の中に配置する。
【０１２１】
本開示に係る装置のハンドルにマイクロ波増幅器ユニットを含む手持ち式医療装置の別の実施形態の製造方法は、ハンドルアセンブリ４７０を用意し、かつマイクロ波信号増幅器／制御装置モジュール４８０を用意する最初の工程を含む。マイクロ波信号増幅器／制御装置モジュール４８０は、マイクロ波増幅器ユニット４８９と、マイクロ波増幅器ユニット４８９に電気的に接続された信号発生器４８６と、制御装置４２６と、制御装置４２６に通信可能に接続されたメモリ４２７とを含んでいてもよい。いくつかの実施形態では、マイクロ波信号増幅器／制御装置４８０を、ハンドルアセンブリ４７０の把持部４７５内に画定されたチャンバ４７８またはその一部の中に配置する。
【０１２２】
医療装置の上記製造方法は、様々な種類の電気手術のための各種エネルギー照射装置、プローブまたはエンドエフェクタアセンブリと共に使用するのに適した、装置のハンドルにマイクロ波増幅器ユニットを含む手持ち式医療装置を提供する。
【０１２３】
装置のハンドルにマイクロ波増幅器ユニットを含む上記手持ち式医療装置、それを備えたシステムおよびそれを用いてエネルギーを組織に導く方法を、組織を治療するのに適した各種エネルギー照射装置またはプローブと共に使用してもよい。実施形態を、例えば、経皮的または外科的に配置された焼灼プローブおよび／または表面焼灼用途の使用に適したエネルギー照射装置などのエネルギーを組織に導くように構成された任意の好適なエネルギー照射装置またはプローブと共に使用してもよい。
【０１２４】
上記手持ち式医療装置を、指向性放射パターンを有するエネルギー照射装置またはプローブと共に使用してもよい。実施形態を、エネルギー照射装置またはプローブに接続された指向性反射器アセンブリと共に使用してもよい。上記手持ち式医療装置のいくつかの実施形態は、外科医が所望どおりに特定の用途に適したエネルギー照射装置またはプローブを選択することができるように構成されている。
【０１２５】
装置のハンドルにマイクロ波増幅器ユニットを含む上記手持ち式医療装置およびそれを備えたシステムは、医療処置、例えば、組織焼灼、切除、凝固、血管内血栓形成、心不整脈および律動異常の治療、電気手術などを含む様々な使用および用途に適し得る。装置のハンドルにマイクロ波増幅器ユニットを含む上記手持ち式医療装置およびそれを備えたシステムは、様々な処置、例えば、マイクロ波切断、封止および凝固の使用に適し得る。
【０１２６】
装置のハンドルにマイクロ波増幅器ユニットを含む上記手持ち式医療装置およびそれを備えたシステムのいくつかの実施形態により、遠隔電気手術用電力供給部および制御装置の必要性が完全になくなる。いくつかの実施形態では、装置のハンドルにマイクロ波増幅器ユニットを含む上記手持ち式医療装置は電源内蔵型であり、全ての制御回路および電力供給部は、本装置のハンドルアセンブリ内に存在する。いくつかの構成では、上記手持ち式医療装置は、電力または制御コードを全く有していない。
【０１２７】
装置のハンドルのマイクロ波増幅器ユニットを含む上記手持ち式医療装置では、装置のハンドルアセンブリは、様々な構成を有していてもよく、そのうちのいくつかは、マイクロ波信号増幅器モジュール（またはマイクロ波信号増幅器／制御装置モジュール）および／または自己内蔵型電源を装置のハンドルアセンブリから完全に取り外し、モジュール的に、他のマイクロ波信号増幅器モジュール（またはマイクロ波信号増幅器／制御装置モジュール）および／または自己内蔵型電源と交換することができる。
【０１２８】
装置のハンドルにマイクロ波増幅器ユニットを含む上記手持ち式医療装置およびそれを備えたシステムは、例えば、特定の目的に応じて、および／または所望の手術結果を達成するために、本装置またはその構成要素の１つ以上の動作パラメータをユーザが選択的に構成することができるように構成されたユーザインタフェースを備えていてもよい。
【０１２９】
例示および説明のために添付の図面を参照しながら実施形態について詳細に説明してきたが、本発明の方法および装置はそれらによって限定されるものとして解釈されるべきではないことを理解されたい。本開示の範囲から逸脱することなく、上記実施形態に対する様々な修正が可能であることは当業者には明らかであろう。
【図１】
2013066706.tif 000003
【図２】
2013066706.tif 000004
【図３】
2013066706.tif 000005
【図４】
2013066706.tif 000006
【図５】
2013066706.tif 000007
【図６】
2013066706.tif 000008
【図７】
2013066706.tif 000009
【図８】
2013066706.tif 000010
【図９】
2013066706.tif 000011
【図１０】
2013066706.tif 000012
【外国語明細書】
2013066706000001.pdf